(57)【要約】【課題】希望する枚数分の券の購入、購入枚数の修正を簡単な操作によって行うことができ、多数枚の券の一括購入を短時間で行うことのできる自動券売機を提案すること。【解決手段】券選択ボタン５の一つが操作されると、当該券選択ボタン５に割り当てられている券を発行する自動券売機１は、券の一括購入枚数を増減させるために操作される増加ボタン１３、減少ボタン１４と、券選択ボタン５が操作されると、一括購入枚数および一括購入金額が表示された１枚の一括購入券７Ｂを発行する発券制御部２０とを有している。増加ボタン１３、減少ボタン１４を操作して任意の一括購入枚数を指定できる。一括購入枚数および一括購入金額が印刷された一括購入券７Ｂが発行されるので、一括購入枚数分の券７Ａが連続して発行される場合のように発行時間が掛ることがなく、発行された券の枚数を確認する必要もない。【選択図】図３
2012014653.tif 000002
【特許請求の範囲】
【請求項１】
券選択ボタンの一つが操作されると、当該券選択ボタンに割り当てられている券を発行する自動券売機において、
前記券の一括購入枚数を増減させるために操作される増減ボタンと、
前記券選択ボタンが操作されると、前記一括購入枚数および一括購入金額が表示された１枚の一括購入券を発行する発券部とを有していることを特徴とする自動券売機。
【請求項２】
請求項１において、
前記増減ボタンは、操作回数に応じて前記発行枚数を一枚ずつ増加させる増加ボタンと、操作回数に応じて前記発行枚数を１枚ずつ減少させる減少ボタンとを備えていることを特徴とする自動券売機。
【請求項３】
請求項１または２において、
前記増減ボタンによって設定された前記一括購入枚数を表示する枚数表示部と、
前記発行枚数分の合計購入金額が入金金額以下になる券が割り当てられている前記券選択ボタンの操作のみを有効にする有効・無効切替部とを有し、
前記発券部は、前記有効・無効切替部によって有効とされた前記券選択ボタンが操作されると前記一括購入券を発行することを特徴とする自動券売機。
【請求項４】
請求項３において、
前記券選択ボタンのそれぞれは点灯状態および消灯状態に切り替え可能であり、
前記有効・無効切替部によって有効とされた前記券選択ボタンのみが消灯状態から点灯状態に切り替わることを特徴とする自動券売機。
【請求項５】
請求項１ないし４のうちのいずれかの項において、
前記一括購入枚数分の券をそのまま購入するモードに切り替え可能なモード切替ボタンを有し、
前記発行部は、前記モード切替ボタンによって前記モードが選択されると、前記一括購入券の代わりに前記一括購入枚数分の券を連続して発行することを特徴とする自動券売機。
【発明の詳細な説明】
【技術分野】
【０００１】
本発明は、操作面に配列されている複数の選択ボタンの一つが操作されると、操作された選択ボタンに割り当てられている食券などの券を発行する自動券売機に関する。さらに詳しくは、簡単な操作により複数枚の券を短時間で一括購入できるようにした自動券売機に関する。
【背景技術】
【０００２】
娯楽施設などの入場券、飲食店での飲食ための食券などを販売する自動券売機としては、購入する券の枚数を指定するボタンを備えたものが知られている。特許文献１に開示の自動販売機は、購入する券の枚数を指定する枚数ボタンとして、１枚購入ボタン、２枚購入ボタンおよび３枚購入ボタンを備えており、指定枚数分の券を連続して発行可能となっている。特許文献２に開示の自動販売機では、券片の種類毎に販売される券片の枚数を入力するための枚数ボタンとして、大人１枚用ボタン、大人２枚用ボタン、小人１枚用ボタン、大人１枚小人２枚ボタン、大人２枚小人１枚ボタンを備えており、これらを組み合わせて操作することにより、複数枚数分の券を連続して発行可能となっている。
【先行技術文献】
【特許文献】
【０００３】
【特許文献１】特開平１１−２８８４６９号公報
【特許文献２】特開平１０−３０２０９２号公報
【発明の概要】
【発明が解決しようとする課題】
【０００４】
購入枚数を指定可能な従来の自動券売機では、複数種類の枚数ボタンが配列されており、これらの枚数ボタンのそれぞれ、あるいはこれらの枚数ボタンの組み合わせによって指定可能な枚数までしか券を纏めて購入できず、任意の枚数の券を一括購入できない。また、購入枚数の指定を誤った場合には、それまでの操作をキャンセルして最初から枚数設定をやり直す必要がある。このため、指定枚数の誤りを簡単に修正できないという不便さがある。
【０００５】
さらに、従来の自動券売機における券の一括購入形態は、指定枚数分の券が連続して発行されるものである。２〜４枚程度の発券の場合にはそれほど時間も掛らず、発行枚数の確認も容易である。しかしながら、例えば１０枚以上の多数枚の券を一括購入する場合には、多数枚の券の発行に時間が掛り、発行された券の枚数確認も大変であり、券購入者にとって不便な場合がある。
【０００６】
本発明の課題は、このような点に鑑みて、希望する枚数分の券の購入、および購入枚数の修正を簡単な操作によって行うことができ、多数枚の券の一括購入を短時間で行うことのできる自動券売機を提案することにある。
【課題を解決するための手段】
【０００７】
上記の課題を解決するために、本発明は、
券選択ボタンの一つが操作されると、当該券選択ボタンに割り当てられている券を発行する自動券売機において、
前記券の一括購入枚数を増減させるために操作される増減ボタンと、
前記券選択ボタンが操作されると、前記一括購入枚数および一括購入金額が表示された１枚の一括購入券を発行する発券部とを有していることを特徴としている。
【０００８】
本発明の自動券売機では、増減ボタンを操作することにより一括購入枚数を増減させることができる。したがって、従来の枚数ボタンのように購入枚数の指定に制約がなく、希望する枚数を指定できる。また、増減ボタンによって一括購入枚数を増減できるので、例えば１枚多く設定してしまった場合の修正、１枚少なく設定してしまった場合の修正等を、増減ボタンを用いて簡単に行うことができる。さらに、１枚の一括購入券が発行されるので、指定した枚数分の券が連続して発行される場合と異なり、発券動作が短時間で終わり、発券枚数の確認も不要になる。
【０００９】
ここで、前記増減ボタンとして、操作回数に応じて前記発行枚数を１枚ずつ増加させる増加ボタンと、操作回数に応じて前記発行枚数を１枚ずつ減少させる減少ボタンとを配置しておくことが望ましい。単一の増減ボタンの操作方向を変えて一括購入枚数を増減させる場合に比べて、枚数の設定操作が簡単になる。
【００１０】
また、本発明の自動券売機は、前記増減ボタンによって設定された前記一括購入枚数を表示する枚数表示部と、前記発行枚数分の合計購入金額が入金金額以下になる券が割り当てられている前記券選択ボタンの操作のみを有効にする有効・無効切替部とを有し、前記発券部は、前記有効・無効切替部によって有効とされた前記券選択ボタンが操作されると前記一括購入券を発行するように構成される。
【００１１】
この場合、前記券選択ボタンのそれぞれを点灯状態および消灯状態に切り替え可能とし、前記有効・無効切替部によって有効とされた前記券選択ボタンのみを消灯状態から点灯状態に切り替えて、操作可能であることをユーザーに知らせることが望ましい。
【００１２】
ここで、複数枚の券を一括購入するユーザーが、複数枚分の券を希望する場合も想定される。そこで、前記一括購入枚数分の券をそのまま購入するモードに切り替え可能なモード切替ボタンを配置しておき、前記発券部は、前記モード切替ボタンによって前記モードが選択されると、前記一括購入券の代わりに前記一括購入枚数分の券を連続して発行することが望ましい。
【発明の効果】
【００１３】
本発明の自動券売機は、一括購入枚数を増減させるための増減ボタンを備え、設定された一括購入枚数および一括購入金額が表示された１枚の一括購入券を発行可能である。増減ボタンを操作することにより希望する一括購入枚数を簡単に設定でき、その修正も簡単である。また、１枚の一括購入券が発行されるので多数枚の券が発行されるのを待つ必要がなく、発行された券の枚数確認も不要になる。
【図面の簡単な説明】
【００１４】
【図１】（ａ）は本発明を適用した自動券売機を示す外観斜視図であり、（ｂ）はその券選択ボタンを示す説明図であり、（ｃ）はその金額表示部等を示す説明図である。
【図２】図１の自動券売機の制御系を示す概略構成図である。
【図３】図１の自動券売機による発券動作を示す概略フローチャートである。
【発明を実施するための形態】
【００１５】
以下に、図面を参照して本発明を適用した自動券売機の実施の形態を説明する。
【００１６】
（全体構成）
図１（ａ）は自動券売機を示す外観斜視図である。この図に示すように、自動券売機１は、縦長の直方体形状の筐体２を備え、その前面が一方の側端を中心として開閉可能な前面扉３とされている。前面扉３の前面は、縦横に長方形の券選択ボタン５が３０個配列された操作面６となっている。券選択ボタン５の一つを操作すると（押すと）、操作された券選択ボタン５に割り当てられている種類の券７Ａあるいは後述の一括購入券７Ｂが発行されるようになっている。
【００１７】
操作面６における券選択ボタン５の上側部分には、紙幣挿入口８、カード挿入口９、硬貨投入口１０、返却レバー１１、および蛍光表示管などからなる表示装置の金額表示部１２が配置されている。金額表示部１２の側方には、券の一括購入枚数を増加させるために操作する増加ボタン１３、一括購入枚数を減少させるために操作する減少ボタン１４が配置されている。また、券を一括購入する場合に、１枚の一括購入券７Ｂとして購入するのか、一括購入枚数分の券７Ａを購入するのかを選択するモード切替ボタン１５が配置されている。操作面６における券選択ボタン５の下側部分には、発行された券７Ａ、７Ｂおよび払い出された釣銭を受け取るための受取口１６と、釣銭払い出し用のおつり／精算ボタン１７が配置されている。
【００１８】
図１（ｂ）は券選択ボタン５の一つを示す説明図である。この図に示すように、券選択ボタン５は、わずかに横長の長方形状をしており、その上半部分が品目ラベル表示部５ａであり、その下半部分はボタン本体５ｂである。ボタン本体５ｂは前方に僅かに突出しており、ここを押すと、券選択ボタン５に割り当てられている品目選択信号が発生する。品目ラベル表示部５ａは透明なプラスチック素材からなり、その裏面には、着脱可能な状態で品目ラベル１８が装着されている。
【００１９】
品目ラベル１８には、券選択ボタン５に割り当てられている品目（商品名）および販売価格が印刷されており、これらは、品目ラベル表示部５ａを透して目視可能である。各券選択ボタン５の品目ラベル表示部５ａの背面側には、各品目ラベル表示部５ａに対峙するように、発光ダイオードが配列された構成のバックライトパネル（図示せず）が取り付けられており、各券選択ボタン５の品目ラベル１８が見易くなっている。
【００２０】
券選択ボタン５のボタン本体５ｂの中央部分には、横長の長円形の表示部が形成されており、ここには、当該券選択ボタン５に割り当てた券７Ａ、７Ｂが販売可能であるか否かを表す円形の販売可能ランプの表示部５ｃと、券７Ａ、７Ｂが売り切れ状態であることを表すための「売切」文字を表示するための売切れランプの表示部５ｄが配置されている。これらの表示部５ｃ、５ｄの背面側には、それぞれ、販売可能ランプおよび売切れ表示ランプが配置されている。
【００２１】
図１（ｃ）は金額表示部１２、増加ボタン１３、減少ボタン１４およびモード切替ボタン１５を示す説明図である。この図に示すように、金銭表示部１２は、投入金額およびエラー状態を表示するための７セグメント表示器からなる金額表示／エラー番号表示部１２ａと、動作中であることを表示する動作中表示部１２ｂ、および販売中止中であることを表す販売中止表示部１２ｃが配置されている。また、釣銭切れを表す１００円硬貨切れ表示部１２ｄおよび１０円硬貨切れ表示部１２ｅと、紙幣の使用ができないことを表す紙幣受付禁止表示部１２ｆとが配列されている。さらに、券の購入枚数を表示するための枚数表示部１２ｇが配置されている。金額表示部１２の背面には、これらの表示部１２ｂ〜１２ｇを点灯させるためのランプがそれぞれ配置されている。
【００２２】
（制御系）
図２は自動券売機１の制御系を示す概略構成図である。自動券売機１の制御系は、ＣＰＵ、ＲＯＭおよびＲＡＭを備えた発券制御部２０を中心に構成されている。発券制御部２０には、各券選択ボタン５、増加ボタン１３、減少ボタン１４、モード切替ボタン１５から操作信号が供給される。発券制御部２０は、そのＲＯＭ内に格納されている制御プログラムを実行することにより、供給される操作信号などに基づき、発券に必要な各種の制御動作を行う。
【００２３】
すなわち、発券制御部２０は、金額表示部１２の各ランプの点灯、各券選択ボタン５のバックライトパネルの点灯などを制御する。また、内蔵の硬貨識別機２１、紙幣識別機２２を駆動制御して、購入代金の入金処理、精算処理、釣銭の払い出し処理などを行わせる。さらに、後述のように購入金額が入金金額以下になる券が割り当てられている券選択ボタン５の操作のみを有効にする有効・無効切替部として機能すると共に、内蔵の発券機構部２３を駆動制御して券７Ａ、７Ｂを作成して発行する動作を行わせる。発券制御部２０および発券機構部２３によって、券選択ボタン５が操作されると券７Ａ、７Ｂを発行する発券部が構成されている。
【００２４】
発券機構部２３は、例えば、ロール紙ホルダ２４に保持されているロール紙２５から繰り出される記録紙２５ａにプリンタ２６により品目および販売金額を印刷し、オートカッタ２７によって記録紙２５ａを切断することにより定形の券７Ａ、７Ｂを作成して発行するように構成されている。
【００２５】
ここで、発券制御部２０には記憶部２９が接続されており、この記憶部２９は不揮発性メモリからなり、券売機設定内容の記憶領域、動作履歴の記憶領域、エラー履歴の記憶領域等の記憶領域を備えている。券売機設定内容の記憶領域には、各券選択ボタン５の番号Ａと、品目Ｂおよび価格Ｃとが対応付けされた対応テーブル２９ａが保持されている。
【００２６】
（発券動作例）
図３は自動券売機１による発券動作を示す概略フローチャートである。券７を購入する購入者は、例えば、硬貨投入口１０から金銭を投入する（ステップＳＴ１）。入金があると、金銭表示部１２の金額表示／エラー番号表示部１２ａに投入金額が表示され、枚数表示部１２ｇには「１枚」と表示される。すなわち購入枚数（一括購入枚数）が１枚であることが表示される（ステップＳＴ２）。
【００２７】
次に、記憶部２９の対応テーブル２９ａが参照され、投入金額で購入可能な価格Ｃに対応する券選択ボタン５の操作のみが有効とされる。すなわち、購入可能な券の券選択ボタン５のバックライトを消灯状態から点灯状態に切り替えて、操作可能な券選択ボタン５を購入者に知らせる（ステップＳＴ３）。
【００２８】
多数枚の券を一括購入する場合には、購入者は一括購入枚数を増加ボタン１３および減少ボタン１４を操作することにより指定することができる。増加ボタン１３を１回操作すると、一括購入枚数が１枚増加し、枚数表示部１２ｇの枚数が増加後の一括購入枚数に切り替わる。同時に、一括購入枚数の合計購入代金が入金額と比較され、指定された一括購入枚数分を購入可能な券の券選択ボタン５のみが有効となり、これらの券選択ボタン５のみが点灯状態になる（ステップＳＴ４、ＳＴ５、ＳＴ６）。増加ボタン１３を繰り返し操作することにより、１枚ずつ一括購入枚数を増加させることができる。
【００２９】
一括購入枚数が希望枚数よりも多くなってしまった場合には、減少ボタン１４を操作することにより修正できる。減少ボタン１４を操作すると、１枚ずつ一括購入枚数を減少させることができる（ステップＳＴ７、ＳＴ８、ＳＴ６）。増加ボタン１３および減少ボタン１４を操作することによって、希望する一括購入枚数を簡単に設定でき、その修正も簡単である。
【００３０】
なお、一括購入枚数分の券を購入するための合計購入金額が入金金額を上回る場合、すなわち入金不足の場合には、入金待ちの状態に切り替わる。この状態で処理を終了する場合には返却レバー１１を操作すればよい。本例では、説明を簡単にするために、一括購入枚数分の合計金額よりも入金額が多いものとする。
【００３１】
一括購入枚数が設定された後に、券選択ボタン５が操作されると、一括購入券発行動作が行われる（ステップＳＴ１０、ＳＴ１１）。本例の自動券売機１では、券発行モードが、一括購入枚数および一括購入金額が印刷された１枚の一括購入券７Ｂを発行するモードに設定されており、１枚の一括購入券７Ｂが発行される。購入枚数が１枚の場合には通常の券７Ａが発行され、購入枚数が複数枚の場合には一括購入券７Ｂが発行される。
【００３２】
一括購入枚数が設定された後に、モード切替ボタン１５が操作され、しかる後に券選択ボタン５が操作されると、一括購入枚数分の券７Ａが連続発行される（ステップＳＴ９、ＳＴ１２、ＳＴ１３、ＳＴ１４）。
【００３３】
なお、発券後においては入金額から購入額が減額され、釣銭額が表示される。釣銭は、おつり／精算ボタン１７を操作することにより払い出される。図３のフローチャートにおいては、釣銭処理のフローは省略してある。
【００３４】
以上説明したように、自動券売機１では、利用者は任意の一括購入枚数を設定することができ、その設定操作も増加ボタン１３および減少ボタン１４を操作するだけでよい。また、一括購入枚数の修正操作も簡単にできる。さらに、一括購入枚数および一括購入金額が印刷された１枚の一括購入券７Ｂが発行されるので、一括購入枚数分の券７Ａが連続発行される場合のように発行時間が掛ることもなく、発行された券の枚数を確認する作業も不要になる。さらには、一括購入枚数分の券７Ａを発行する場合に比べて記録紙２５ａの使用量が少なくて済むので経済的である。
【００３５】
上記の例では、一括購入枚数を増減するために増加ボタン１３と減少ボタン１４を配置してある。単一の増減ボタンを配置し、増減ボタンの操作方向に応じて一括購入枚数を増減させるようにすることも可能である。
【００３６】
また、上記の例では、モード切替ボタン１５を配置して、一括購入枚数分の券７Ａを連続発行するモードに切り替え可能としてある。モード切替ボタンを省略して、常に１枚の一括購入券７Ｂを発行するようにすることも可能である。また、モード切替ボタンによって、いずれの発券モードで券を発行するのかを、発券の都度、購入者に選択させることも可能である。
【符号の説明】
【００３７】
１    自動券売機
２    筺体
３    前面扉
５    券選択ボタン
６    操作面
７Ａ  券
７Ｂ  一括購入券
８    紙幣挿入口
９    カード挿入口
１０  硬貨投入口
１１  返却レバー
１２  金額表示部
１２ａ  金額表示／エラー番号表示部
１２ｂ  動作中表示部
１２ｃ  販売中止表示部
１２ｄ  １００円硬貨切れ表示部
１２ｅ  １０円硬貨切れ表示部
１２ｆ  紙幣受付禁止表示部
１２ｇ  枚数表示部
１３  増加ボタン
１４  減少ボタン
１５  モード切替ボタン
１６  受取口
１７  おつり／精算ボタン
２０  発券制御部
２１  硬貨識別機
２２  紙幣識別機
２３  発券機構部
２４  ロール紙ホルダ
２５  ロール紙
２５ａ  記録紙
２６  プリンタ
２７  オートカッタ
２９  記憶部
２９ａ  対応テーブル
Ａ    番号
Ｂ    品目
Ｃ    価格
【図１】
2012014653.tif 000003
【図２】
2012014653.tif 000004
【図３】
2012014653.tif 000005